(57)【要約】【課題】発光ダイオードの光を利用して良好に合図でき、かつ、ドライバの飲酒検査も行なうことができる合図灯を提供する。【解決手段】電池収容部１２を有するグリップ１の先端側に取付けた合図灯用透光性パイプ３内に第１のスイッチを介して電源部（電池１１）と接続させて設けた複数個の発光ダイオード５ａ…５ｎと、パイプ３の先端に取付けたアルコール検出室４と、第２のスイッチを介して電池１１と接続させて検出室４内に設けた吸気用ファン６及びアルコールセンサ７と、任意の部位に設け、前記センサにより検知されたドライバの呼気中のアルコール濃度が設定された範囲内か否かを判別する判別回路部を有する電子制御回路部８と、任意の部位に設けた報知用の発光ダイオード９１とを備える。アルコール濃度が設定値を超えると判断した場合に、報知用の発光ダイオードを点灯して報知する。【選択図】図１
0003130846.tif 000002
【実用新案登録請求の範囲】
【請求項１】
電池収容部を有するグリップの先端側に取付けた合図灯用透光性パイプと、
第１のスイッチを介して電源部と電気的に接続させて前記パイプ内に任意の間隔で複数個設けた発光ダイオードと、
吸気孔及び排気孔を有し、前記パイプの先端に取付けたアルコール検出室と、
第２のスイッチを介して前記電源部と電気的に接続させて前記検出室内に設けた吸気用ファンと、
前記第２のスイッチを介して前記電源部と電気的に接続させて前記検出室内に設けたアルコールセンサと、
任意の部位に設け、前記センサにより検知されたアルコール濃度が設定された許容範囲内か否かを判別する判別回路部を有する電子制御回路部と、
任意の部位に設けた報知手段とを備え、
アルコール濃度が前記許容範囲を超えると判断された場合に、前記報知手段で報知するように構成したことを特徴とする、合図灯。
【請求項２】
前記報知手段は報知用の発光ダイオードで構成され、前記センサで検知されたアルコール濃度が前記許容範囲を超えると判断された場合に、前記発光ダイオードを点灯して報知するように構成したことを特徴とする、請求項１に記載の合図灯。
【請求項３】
前記報知手段は報知用の音発生器で構成され、前記センサで検知されたアルコール濃度が前記許容範囲を超えると判断された場合に、前記音発生器から音を発生して報知するように構成したことを特徴とする、請求項１に記載の合図灯。
【考案の詳細な説明】
【技術分野】
【０００１】
本考案は、主に警察官等が車両検問や交通整理等において合図などの際に使用する合図灯に関する。
【背景技術】
【０００２】
従来、車両検問や交通整理等に際し、車両を停止させ、或いは誘導する等、合図する手段として、一般に合図灯が使用されている。従来の合図灯として、電池収容部を有するグリップの先端側に取付筒部を介して合図灯用透光性パイプを取付け、前記パイプ内に複数個の発光ダイオードを設けてなるものが一般に知られている（例えば、特許文献１〜２参照）。
前記合図灯はスイッチを操作して前記発光ダイオードを点滅又は連続点灯させ、或いは点滅と点灯とに切替可能に構成されている。そして、警察官等は前記合図灯を使用して合図し、車両停止や誘導等の指示を行なっている。
【０００３】
車両の飲酒運転は道路交通法等の法令により禁止されており、警察官は通行車両を検問して飲酒運転の取り締まりを実施している。ドライバの飲酒検査を行なう場合、警察官は合図灯を用いて車両を停止させ、携帯するあるアルコール濃度検査器（呼気中のアルコール濃度を測定するタイプのものを一般に採用）を使用して実施している。
上記のように、飲酒運転の取り締まりを実施する場合、警察官はアルコール濃度検査器を携帯する必要がある。また、ドライバの飲酒検査を行なう場合、合図灯を用いて車両を停止させ、前記検査器を使用して測定するので作業が煩雑になる。
【特許文献１】特開平１０−４０７０２号公報
【特許文献２】特開２００３−１３２７２６号公報
【考案の開示】
【考案が解決しようとする課題】
【０００４】
本考案は上記のような実情に鑑みてなされたもので、発光ダイオードから照射される光を利用して合図できると共にドライバの飲酒検査も行なうことができる合図灯を提供することを目的とするものである。
【課題を解決するための手段】
【０００５】
上記目的を達成するため、本考案のうちの１つの考案（第１の考案）の合図灯は、電池収容部を有するグリップの先端側に取付けた合図灯用透光性パイプと、第１のスイッチを介して電源部と電気的に接続させて前記パイプ内に任意の間隔で複数個設けた発光ダイオードと、吸気孔及び排気孔を有し、前記パイプの先端に取付けたアルコール検出室と、第２のスイッチを介して前記電源部と電気的に接続させて前記検出室内に設けた吸気用ファンと、前記第２のスイッチを介して前記電源部と電気的に接続させて前記検出室内に設けたアルコールセンサと、任意の部位に設け、前記センサにより検知されたアルコール濃度が設定された許容範囲内か否かを判別する判別回路部を有する電子制御回路部と、任意の部位に設けた報知手段とを備え、アルコール濃度が前記許容範囲を超えると判断された場合に、前記報知手段で報知するように構成したことを特徴とする。
【０００６】
本考案の合図灯はグリップを手で握って使用するもので、第１のスイッチを操作することにより、前記パイプ内の発光ダイオードから光を照射させることができる。また、第２のスイッチを操作することにより、吸気用ファンが駆動（回転）して外気を前記検出室内に吸引し、前記センサにより前記室内の気体（ガス）中のアルコール濃度（成分）が検知される。そして、前記ガス中のアルコール濃度が設定された許容範囲を超えると判断された場合には、この情報を報知手段で報知する。
【０００７】
したがって第１のスイッチを操作（ＯＮ）して前記発光ダイオードから光を照射させ、この状態で合図灯を使用して合図し、車両停止や誘導等の指示を良好に行なうことができる。一方、第２のスイッチを操作（ＯＮ）すると共に前記検出室をドライバの鼻（鼻孔）や口許に近づけることにより、ドライバの呼気が前記検出室内に吸引されるので、ドライバの呼気中のアルコール濃度が許容範囲内か否かを測定することができる。前記検出室内に吸引されたドライバの呼気は排気孔から順次外部に排出される。
【０００８】
本考案のうち他の１つの考案（第２の考案）は、第１の考案の合図灯において、前記報知手段は報知用の発光ダイオードで構成され、前記センサで検知されたアルコール濃度が前記許容範囲を超えると判断された場合に、前記発光ダイオードを点灯して報知するように構成したことを特徴とする。
【０００９】
本考案のうち他の１つの考案（第３の考案）は、第１の考案の合図灯において、前記報知手段は報知用の音発生器で構成され、前記センサで検知されたアルコール濃度が前記許容範囲を超えると判断された場合に、前記音発生器から音を発生して報知するように構成したことを特徴とする。
【考案の効果】
【００１０】
本考案によれば次のような効果を奏する。（１）第１のスイッチを操作し、合図灯用透光性パイプ内の発光ダイオードをＯＮにして使用することにより、車両を停止させ、或いは誘導する等、良好に合図して指示することができる。（２）第２のスイッチを操作し、合図灯の先端（アルコール検出室）をドライバの鼻（鼻孔）や口許部に近づけることにより、ドライバの呼気中のアルコール濃度が設定された許容範囲を超える場合には、報知手段で報知する。したがって、合図灯を使用してドライバの飲酒検査を容易に行なうことができる。
【考案を実施するための最良の形態】
【００１１】
以下、図面を参照して本考案の合図灯の最良の実施の形態の一例を説明する。図１は本考案の一実施の形態の合図灯を示す図であって、同図（ａ）は前記合図灯の全体構成を概略的に示す側面図、同図（ｂ）は先端部側を拡大し、その構成を概略的に示す縦断面図、同図（ｃ）は基端部側を拡大すると共に一部を断面で示し、その構成を概略的に示す説明図、図２は前記合図灯に採用されているアルコール検出室の構成を概略的に示す正面図、図３は図１（ｂ）のＡ−Ａ線断面図、図４は前記合図灯に採用されている回路図の一例を概略的に示す説明図である。
【００１２】
上記図１〜図４において、この実施の形態（実施の形態１）の合図灯は、グリップ１と、取付筒部２と、合図灯用透光性パイプ３と、アルコール検出室４と、複数個の発光ダイオード５ａ…５ｎと、吸気用ファン６と、アルコールセンサ７と、電子制御回路部８と、報知手段９とを備えている。
【００１３】
グリップ１は硬質プラスチック等で構成され、図１（ｃ）に示すように、所望数の電池１１を収容する電池収容部１２を有している。この実施の形態のグリップ１は、取付筒部２の基端部に、グリップ１の先端を着脱自在に螺合１３（図１（ｃ）参照）して取付けてある。１４は収容部１２内の後端に設けたコイルスプリング、１５はグリップ１の後端外周に突設した鍔部、１６は紐等を取付ける紐取付部を示す。
【００１４】
取付筒部２は硬質プラスチック等で構成されている。取付筒部２内には、前記電子制御回路部８と、第１のスイッチ２１、及び第２のスイッチ２２等が内蔵されている。前記電子制御回路部８は、前記各発光ダイオード５ａ…５ｎの連続点灯及び点滅を制御する制御回路部と、後述する判別回路部等を備えている。
【００１５】
実施の形態の第１のスイッチ２１は、図４に示すように、点滅用スイッチ２１ａと、連続点灯用スイッチ２１ｂと、ＯＦＦ点２１ｃとを有する点灯・点滅切替スイッチで構成されている。２３は第１のスイッチ２１を操作するスイッチボタン、２４は第２のスイッチ２２を操作するスイッチボタンを示す。前記両スイッチボタン２３，２４は取付筒部２に設けてある。前記第１のスイッチ２１はスイッチボタン２３を押動して切替操作するように構成されている。
【００１６】
合図灯用透光性パイプ３は硬質かつ透光性のポリカーボネートや硬質有色透明プラスチック等で構成され、取付筒部２の先端部に嵌合固定して取付けてある。この実施の形態１では、前記パイプ３の内周壁面の略全体に着色又は無着色の透光性の再帰反射シート３１及び反射透明ポリカーボネートフィルムや透明プラスチックフィルム等のフィルム３２が添装されている（図３参照）。
【００１７】
前記アルコール検出室４は硬質プラスチック等で構成され、吸気孔４１及び排気孔４２を有している。前記検出室４は前記パイプ２の先端に取付けて設けてある。実施の形態１の前記検出室４は円筒キャップ状に形成され、第１の室４３と、この室４３と蓮通させると共に取付部材４４で区画された第２の室４５を有し、第２の室４５を前記パイプ３の先端に嵌合固定して設けてある。また、前記検出室４の先端、即ち、実施の形態１では第１の室４３の先端に蓋部４６が嵌合固定して設けてある。そして、吸気孔４１は前記蓋部４６に形成されていると共に排気孔４２は第２の室４５に形成されている。これにより、後述するように、ドライバの呼気は吸気孔４１から第１の室４３内に吸引されて第２の室４５内に導入され、排気孔４２から順次排出されるように構成されている。
【００１８】
前記各発光ダイオード５ａ…５ｎは任意の間隔を存して前記パイプ３内に配置して設けてある。発光ダイオード５ａ…５ｎの数量は特に限定するものではなく、任意に決定できる。例えば、５個ないし２０個程度の範囲を挙げることができる。実施の形態１の前記発光ダイオード５ａ…５ｎは赤色系の光を放射する有色光発光ダイオード（有色光ＬＥＤ）を採用している。この場合、赤色系以外の有色光ＬＥＤ、或いは白色光発光ダイオード（白色光ＬＥＤ）を採用することもきる。また、有色光ＬＥＤと白色光ＬＥＤの両方を組み合わせることもできる。前記ＬＥＤ５ａ…５ｎは、電子制御回路８及び第１のスイッチ２１を介して電源部（電池１１）と電気的に接続させて前記パイプ３内に設けてある。
【００１９】
この実施の形態１では、図１（ｂ）及び図１（ｃ）に示すように、所定部に接続した適当な太さの導線５１ａ，５１ｂをパイプ３内に長手方向に向けて設けてある。そして、各発光ダイオード５ａ…５ｎは、一方のリード線５２ａを一方の導線５１ａに半田付け等により結線されていると共に他方のリード線５２ｂを他方の導線５１ｂに半田付け等により結線して配設されている。これにより、スイッチ２１ａを閉成（ＯＮ）すると前記各ＬＥＤ５ａ…５ｎを同時に点滅させ、また、スイッチ２１ｂを閉成（ＯＮ）すると前記各ＬＥＤ５ａ…５ｎを同時に連続点灯させるように構成されている。前記点滅及び点灯の切替えはスイッチボタン２３を押動操作して行なう。図１（ｂ）において、５３は硬質プラスチック等の絶縁材で構成され、両導線５１ａ，５１ｂの先端をそれぞれ係合支持させて設けた支持部材である。この支持部材５３は、合図灯の使用時に両導線５１ａ，５１ｂの横揺れ等を防止するために設けたものである。
【００２０】
吸気用ファン６は、前記検出室４内にドライバの呼気を吸引するものである。実施の形態１のファン６はモータ６１と回転羽根６２とを有し、モータ６１で回転羽根６２を回転駆動させるように構成してある。前記ファン６は被覆電線等６３の導線６３ａ，６３ｂ（図４参照）により第２のスイッチ２２（実施の形態１では電子制御回路部８及び第２のスイッチ２２）を介して電源部（電池１１）と電気的に接続させて前記検出室４内に設けてある。実施の形態１では、前記ファン６は検出室４の第１の室４３内に位置させて、取付部材４４に固定して配置されている。これにより、スイッチ２２を閉成（ＯＮ）するとモータ６１により前記羽根６２が回転し、ドライバの呼気は吸気孔４１から第１の室４５内に吸引されて第２の室４５内に導入される。前記室４５内に導入されたドライバの呼気は排気孔４２から順次外部へ排出される。前記スイッチ２２のＯＮ・ＯＦＦはスイッチボタン２４を押動操作して行なう。
【００２１】
アルコールセンサ７は、ドライバの呼気中のアルコール成分（濃度）を検出するものである。前記センサ７は従来公知の各種のアルコールセンサを採用できる。前記センサ７は被覆電線等７１の導線７１ａ，７１ｂ（図４参照）により電子制御回路部８及び第２のスイッチ２２を介して電源部（電池１１）と電気的に接続させて検出室４内に設けてある。実施の形態１では、前記センサ７は検出室４の第２の室４５内に固定して配置されている。前記センサ７により得られたデータ（出力）は電子制御回路部８へ入力される。
前記電子制御回路部８は、センサ７からの出力に基づいて、ドライバの呼気中に含まれているアルコール濃度を測定し、アルコール濃度が設定された許容範囲内か否かを判別する判別回路部を備えている。制御回路部８の判別回路部は、入力されたデータと予め設定された許容範囲量閾値とを比較して、入力データが閾値（設定値）を越えていた場合には、報知手段９を制御して報知する。前記センサ７及び電子制御回路部８には、第２のスイッチ２２を閉成（ＯＮ）することにより、電源部（電池１１）から電源（電力）が供給される。
【００２２】
電子制御回路部８の判別回路部の判別閾値は、例えば道路交通法に定められている呼気中のアルコール濃度を基準として設定する。前記閾値は例えば０．１ｍｇ／１（リットル）に設定することができる。これにより、センサ７によって検知されたドライバの呼気中のアルコール濃度が前記設定された閾値（０．１ｍｇ／ｌ）を超えていると判断された場合は、報知手段９を作動して報知する。また、前記アルコール濃度が前記閾値以下であると判断された場合には、報知手段９を作動しないように構成してある。
【００２３】
この実施の形態１の報知手段９は発光ダイオード９１で構成されている。この報知用の発光ダイオード９１は被覆電線等９５の導線９５ａ，９５ｂ（図４参照）により制御回路部８と電気的に接続して取付筒部２の適当部に位置させて設けてある。実施の形態１の前記発光ダイオード９１は赤色系の光を放射する赤色光ＬＥＤを採用している。そして、ドライバの呼気中のアルコール濃度が前記設定値を超えると判断された場合に、前記発光ダイオードを点灯して報知するように構成してある。
【００２４】
実施の形態１では、前記発光ダイオード９１の近傍に位置させると共に被覆電線等９６の導線９６ａ，９６ｂ（図４参照）により制御回路部８と電気的に接続させ、前記筒部２に設けた発光ダイオード９２を備えている。この発光ダイオード９２は確認用のＬＥＤであり、実施の形態１では、青色光を放射する青色光ＬＥＤを採用している。前記青色光ＬＥＤは、第２のスイッチを閉成（ＯＮ）して数秒間（例えば約５秒間）経過した後に点灯する。一般に、アルコールセンサはＯＮにして数秒間（約５秒間程度）経過した後に熱的に安定した状態（暖気モード）でアルコール濃度を測定するようになっている。そこで、第２のスイッチを閉成してセンサ７が暖気モードになった時点でＬＥＤ９２（青色光ＬＥＤ）を点灯させるように設定してある。これにより、前記センサが暖気モードになっているか否かを確認することができる。図１（ｃ）において、９３は透明硬質プラスチック等で構成され、前記発光ダイオード９１，９２の部位に位置させて取付筒部２に固定して設けた保護キャップを示す。
【００２５】
実施の形態１の合図灯は上記のように構成したもので、次に使用方法の一例及び作用効果等について説明する。実施の形態１の合図灯は従来と同様にグリップを手で握って使用するものである。そして、スイッチボタン２３を操作して、点滅用スイッチ２１ａを閉成（ＯＮ）してパイプ３内の各発光ダイオード５ａ…５ｎを点滅させ、車両を停止させ、或いは誘導する等、合図して指示する。この場合、所望に応じて連続点灯用スイッチ２１ｂを閉成（ＯＮ）して前記各ＬＥＤ５ａ…５ｎを連続点灯して使用することもできる。
【００２６】
一方、ドライバの飲酒検査を行なう際は、スイッチボタン２４を操作して、第２のスイッチ２２を閉成（ＯＮ）する。これにより、制御回路部８がＯＮ状態になると共にファン４が駆動する。そして、青色光ＬＥＤ９２が点灯していることを確認し、前記検出室４の先端をドライバの鼻（鼻孔）や口許等に近づけることにより、ドライバの呼気が前記検出室４内に吸引されるので、センサ７により前記室４（第２の室４５）内の呼気中のアルコール濃度（成分）が検知され、この検知データは制御回路部８へ出力されて測定される。そして、制御回路部８の判別回路部は、前記呼気中のアルコール濃度が前記設定値（閾値）を超えていると判断、つまり、前記アルコール濃度が設定された許容範囲を超えていると判断した場合に、前記発光ダイオード９１（赤色光ＬＥＤ）を点灯して報知する。また、前記アルコール濃度が前記設定値を超えていないと判断した場合には、前記ＬＥＤ９１を点灯しない。これにより、ドライバの飲酒検査を容易に行なうことができる。
【００２７】
なお、上記の場合において、前記アルコール濃度が設定値を超えていると判断されたとき、確認用のＬＥＤ９２を消灯して赤色光ＬＥＤ９１を点灯させるように構成することもできる。
【００２８】
図５は本考案の他の実施の形態（実施の形態２）の合図灯の要部の構成の回路図の一例を概略的に示す説明図である。この合図灯において、実施の形態１で既に述べた構成と共通する構成部等には同一符号を付して説明を省略する。実施の形態２の合図灯は報知手段９の構成に特徴がある。
【００２９】
実施の形態２の合図灯は、報知手段９として、報知用の音発生器９４を採用した構成を特徴とするものである。音発生器９４は、例えばアラームやブザーその他通電させることにより音を発生する任意の種類や型式のものを採用することができる。
【００３０】
前記音発生器９４は前記導線９５ａ，９５ｂにより前記制御回路部８と電気的に接続して取付筒部２その他の任意の部位に固定して設けてある。そして、ドライバの呼気中のアルコール濃度が前記設定値（設定された許容範囲）を超えると判断された場合に、音発生器９４から音を発生して報知するように構成したものである。他の構成は実施の形態１と同様である。
【００３１】
実施の形態２の合図灯は上記のように構成され、実施の形態１の合図灯と同様に使用するものであり、実施の形態１と同様の作用効果を奏する。
【００３２】
なお、図示しないが、本考案の合図灯においては、報知手段として、前記報知用の発光ダイオード９１及び音発生器９４の両方を備える構成を採用することもできる。
【００３３】
また、上記した各実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００３４】
【図１】本考案の一実施の形態の合図灯を示す図であって、同図（ａ）は前記合図灯の全体構成を概略的に示す側面図、同図（ｂ）は先端部側を拡大し、その構成を概略的に示す縦断面図、同図（ｃ）は基端部側を拡大すると共に一部を断面で示し、その構成を概略的に示す説明図である。
【図２】前記合図灯に採用されているアルコール検出室の構成を概略的に示す正面図である。
【図３】図１（ｂ）のＡ−Ａ線断面図である。
【図４】前記合図灯に採用されている回路図の一例を概略的に示す説明図である。
【図５】本考案の他の実施の形態の合図灯に採用されている回路図の一例を概略的に示す説明図である。
【符号の説明】
【００３５】
１      グリップ
３      合図灯用透光性パイプ
４      アルコール検出室
５ａ…５ｎ    発光ダイオード
６      吸気用ファン
７      アルコールセンサ
８      電子制御回路部
１１    電池
１２    電池収容部
２１    第１のスイッチ
２２    第２のスイッチ
９１    報知用の発光ダイオード
【図１】
0003130846.tif 000003
【図２】
0003130846.tif 000004
【図３】
0003130846.tif 000005
【図４】
0003130846.tif 000006
【図５】
0003130846.tif 000007